(57)【要約】  ウェブページとデータコンテナとの間の対話方法を開示する。コンテナがウェブページに表示されるように選択され得、コンテナがウェブページに、より大きな形式で表示され得る。コンテナ中の別の項目がウェブページに拡大され得、追加選択肢がコンテナの少なくとも１つの項目に表示され得る。認証が提示されている場合、コンテナ中の項目が操作され得る。【選択図】  図６
2010532533.tif 000002
【特許請求の範囲】
【請求項１】
ウェブページと複数の項目を有するデータコンテナとの間の対話方法であって、
前記ウェブページに表示されるコンテナを選択するステップ（５１０）と、
前記ウェブページに、より大きな形式で前記コンテナを表示するステップ（５２０）と、
前記ウェブページの前記コンテナ中の項目を拡大するステップ（５３０）と、
前記コンテナの少なくとも１つの項目に追加選択肢を表示するステップ（５４０）と、
認証が提示されている場合、前記コンテナの項目の操作を可能にするステップ（５５０）と、含む方法。
【請求項２】
前記コンテナ中の項目を拡大するステップ（５３０）が更に、項目に関連する追加データを表示するステップを含むことを特徴とする請求項１記載の方法。
【請求項３】
前記コンテナの少なくとも１つの項目に追加選択肢を表示するステップ（５４０）が、ユーザーに前記コンテナ中の項目を追加、削除、変更するためのオーサリングツールの使用を可能にするステップを含むことを特徴とする請求項１記載の方法。
【請求項４】
更に、認証が取得されている場合、前記コンテナを複製し、前記コンテナが変更されることを可能にするステップ（４４０）を含む請求項１記載の方法。
【請求項５】
前記コンテナがカードとして（３１５）表示され、前記カード上の項目が前記カード上の画像として表示されることを特徴とする請求項１記載の方法。
【請求項６】
前記ウェブページの前記コンテナ中の項目を拡大するステップが、
前記カードを選択するステップ（５１０）と、
前記ウェブページの前記カードに前記画像のより大きなバージョンを表示するステップ（５２０）と、
前記画像に関連する追加情報を表示するステップ（５４０）と、を含むことを特徴とする請求項５記載の方法。
【請求項７】
更に、適切な認証が得られた場合、前記コンテナ上の項目を追加、削除、又は変更するための選択肢を表示するステップ（５５０）を含む請求項６記載の方法。
【請求項８】
前記ウェブページ上の前記コンテナ中の項目を拡大するステップが更に、
ネットワークと通信するステップ（４１０）と、
前記コンテナ中のメディアデータに関連する更新データを取得するステップ（４２０）と、
前記更新データを前記コンテナに転送するステップ（４３０）と、
前記更新データを前記コンテナ中の項目として表示するステップ（４４０）と、含む請求項１記載の方法。
【請求項９】
更に、
ネットワークに前記コンテナをストアするステップ（２４０）と、
作者とは別のユーザーが前記コンテナにアクセスすることを可能にするステップ（２５０）と、
前記作者による変更が前記コンテナに実行されるとき、前記変更を前記ネットワークにストアする（３１５）ステップと、
別の所有者が前記ネットワークに接続したとき、前記変更を前記コンテナの別の所有者に配布するステップと、を含む請求項８記載の方法。
【請求項１０】
前記変更が、前記作者によってオフラインで実行され、当該変更が実行された装置が前記ネットワークと通信するとき、前記ネットワークにストアされる（３１５）ことを特徴とする請求項９記載の方法。
【請求項１１】
前記コンテナがネットワークにストアされていて（３１５）、ユーザーが複数のコンテナ間で前記コンテナを検索できることを特徴とする請求項１記載の方法。
【請求項１２】
ユーザーが、前記コンテナがカードのように及びウェブページのように見えるものを設計すること（５４０）を特徴とする請求項１記載の方法。
【請求項１３】
ウェブページとデータコンテナとの間の対話をコントロールするための計算機実行可能命令を含む計算機記憶媒体であって、
前記ウェブページに表示されるコンテナを選択するステップ（５１０）と、
前記ウェブページに、より大きな形式で前記コンテナを表示するステップ（５２０）と、
前記ウェブページの前記コンテナ中の項目を拡大するステップ（５１０）であって、前記コンテナ中の項目を拡大するステップが更に、項目に関連する追加データを表示するステップを含むものと、
前記コンテナの少なくとも１つの項目に追加選択肢を表示するステップ（５４０）であって、前記コンテナの少なくとも１つの項目に追加選択肢を表示するステップが、前記コンテナ中の項目を追加、削除、変更するためのオーサリングツールを、ユーザーが使用することを可能にするステップを含むものと、
認証が提示されている場合、前記コンテナの項目の操作を可能にするステップ（５５０）と、に関する計算機実行可能命令を含む計算機記憶媒体。
【請求項１４】
前記コンテナがカードとして表示され、前記カード上の項目が前記カード上の画像として表示され、前記ウェブページ上の前記コンテナ中の項目を拡大するステップが、
前記カードを選択するステップ（５１０）と、
前記ウェブページの前記カードに前記画像のより大きなバージョンを表示するステップ（５２０）と、
前記画像に関連する追加情報を表示するステップ（５４０）と、を含むことを特徴とする請求項１３記載の計算機記憶媒体。
【請求項１５】
前記ウェブページの前記コンテナ中の項目を拡大するステップが更に、
ネットワークと通信するステップ（４１０）と、
前記コンテナ中のメディアデータに関連する更新データを取得するステップ（４２０）と、
前記更新データを前記コンテナに転送するステップ（４３０）と、
前記更新データを前記コンテナ中の項目として表示するステップ（４４０）と、含むことを特徴とする請求項１３記載の計算機記憶媒体。
【請求項１６】
更に、
ネットワークに前記コンテナをストアするステップ（２４０）と、
作者とは別のユーザーが前記コンテナにアクセスすることを可能にするステップ（２５０）と、
前記作者による変更が前記コンテナに実行されたとき、前記変更をネットワークにストアするステップと、
別の所有者が前記ネットワークに接続したとき、前記変更を前記コンテナの別の所有者に配布するステップと、に関する計算機実行可能命令を含む請求項１３の計算機記憶媒体。
【請求項１７】
前記変更が、作者によってオフラインで実行され、当該変更が実行された装置が前記ネットワークと通信するとき、前記ネットワークにストアされることを特徴とする請求項１３記載の計算機記憶媒体。
【請求項１８】
計算機実行可能命令を実行するように物理的に構成されるプロセッサーと、計算機実行可能命令をストアし、処理する支援をするためのメモリーと、及び入力／出力回路を含む計算機システムであって、前記計算機実行可能命令が、
ウェブページに表示されるコンテナを選択するステップ（５１０）と、
前記ウェブページに、より大きな形式で前記コンテナを表示するステップ（５２０）と、
前記ウェブページの前記コンテナ中の項目を拡大するステップ（５３０）であって、前記ウェブページの前記コンテナ中の項目を拡大するステップが更に、
ネットワークと通信するステップ（４１０）と、
前記コンテナ中のメディアデータに関連する更新データを取得するステップ（４２０）と、
前記更新データを前記コンテナに転送するステップ（４３０）と、
前記更新データを前記コンテナ中の項目として表示するステップ（４４０）と、を含むものと、
前記コンテナの少なくとも１つの項目に追加選択肢を表示するステップ（５４０）であって、前記コンテナの少なくとも１つの項目に追加選択肢を表示するステップが、前記コンテナ中の項目を追加、削除、変更するためのオーサリングツールを、ユーザーが使用することを可能にするステップを含むものと、
認証が提示されている場合、前記コンテナ中の項目の操作を可能にするステップ（５５０）と、に関する命令を含むことを特徴とする計算機システム。
【請求項１９】
前記コンテナがカードとして表示され、前記カード上の項目が前記カード上の画像として表示され、前記ウェブページ上の前記コンテナ中の項目を拡大するステップが、
前記カードを選択するステップ（５１０）と、
前記ウェブページの前記カードに前記画像のより大きなバージョンを表示するステップ（５２０）と、
前記画像に関連する追加情報を表示するステップ（５４０）と、含むことを特徴とする請求項１８記載の計算機システム。
【請求項２０】
更に、
ネットワークに前記コンテナをストアするステップ（２４０）と、
作者とは別のユーザーが前記コンテナにアクセスすることを可能にするステップ（２５０）と、
前記作者による変更が前記コンテナに実行されたとき、前記変更を前記ネットワークにストアする（３１５）ステップと、
別の所有者が前記ネットワーク（３００）に接続したとき、前記変更を前記コンテナの別の所有者に配布するステップに関する計算機実行可能命令を含む請求項１８の計算機システム。
【発明の詳細な説明】
【技術分野】
【０００１】
本発明は、ウェブページとデータコンテナとの対話方法に関し、具体的にはウェブページ及び携帯用計算装置の表示方法に関する。
【背景技術】
【０００２】
この背景は、本特許出願の基本的文脈を提供することを意図していて、解決されるべき特定の課題を説明することを意図していない。
【０００３】
技術が、データを更に可搬型にし得、より小さな装置における適合を可能にしている。例えば、既にコンパクトディスクにストアされている音楽が、すぐに携帯用プレーヤー上の電子ファイルとしてストアされ得る。非常に多くのファイルが携帯用装置にストアされ得る。その結果、データの経過を追うことがますます困難になっているが、プレイリストを生成し、作品を追加することによってデータのパーソナライズが可能になっている。更に、データが容易に転送可能なので、コミュニティとデータを共有する要望が存在する。データを携帯用計算装置のディスプレイに読み出すことは困難であり得、これは大きな画面を有する装置及びより小さな画面を有する装置に対して異なる表示が必要であり得ることも意味している。
【発明の概要】
【発明が解決しようとする課題】
【０００４】
本発明の目的は、ウェブページ及び携帯用計算装置に対する表示をデザインするための手段を提供することである。
【課題を解決するための手段】
【０００５】
この「発明の概要」は、更に「発明を実施するための形態」に後述されている選択された概念を簡易形式で紹介するために提供される。この「発明の概要」は、請求項記載対象の主要な特徴も本質的な機能も特定することを意図されておらず、請求項記載対象の範囲を限定するように利用されることも意図されていない。
【０００６】
ウェブページとデータコンテナとの間の対話方法を開示する。コンテナがウェブページに表示されるように選択され得、コンテナがウェブページに、より大きな形式で表示され得る。コンテナ中の別の項目がウェブページに拡大され得、追加選択肢がコンテナの少なくとも１つの項目に表示され得る。認証が提示されている場合、コンテナ中の項目が操作され得る。ウェブページ及び携帯用計算装置に対する表示をデザインするための手段が提供され得る。
【図面の簡単な説明】
【０００７】
【図１】コンテナの例示である。
【図２】データコンテナを生成する方法の流れ図である。
【図３】コンテナに関連する動作に関するネットワークアーキテクチャの図である。
【図４】ウェブページにコンテナを表示する方法の流れ図である。
【図５】ウェブサイト上に拡大されたコンテナの例示である。
【図６】コンテナデータを更新する方法の流れ図である。
【発明を実施するための形態】
【０００８】
以下の文章は、異なる多くの実施形態の詳細な記述を説明しているが、記載の法的範囲は、本明細書の終わりに説明されている請求項の語句によって定義されることが理解されよう。詳細な記述は例示的に過ぎないと理解されることであって、考えられるすべての実施形態を記述することは、不可能でないにしても非実用的なので、考えられるすべての実施形態について記述しない。最新技術又は本明細書の出願日以降に開発される技術どちらか一方を使用し、本請求項の範囲内の多くの代替実施形態が実施され得る。
【０００９】
用語が、本明細書において「本明細書に使用される用語’‘は、．．．を意味するように定義される」という文章又は同様の文章を使用して明確に定義されていない場合、そのわかりやすさ又は普通の意味を越えて明白であるか又は言外の意味かどちらか一方によってその用語の意味を制限する意図がないことも理解されたいし、そのような用語が、本明細書の任意の部分において（請求項の言語以外で）形成されている任意の記述に基づく範囲内に制限されるように解釈されるべきでない。本明細書の終わりの請求項に復唱される任意の用語は、単一の意味を有する一貫した方法で本明細書において参照されている範囲で読者を混乱させないように明確にするためだけに実行されているのであって、言外の意味によるか又は他の単一のその意味に制限することによってその用語を請求することを意図していない。最終的に、請求項目が、語句「手段」の列挙によっても、どんな構造の詳説も有していない機能によっても、定義されていない場合、どのような請求項の範囲も米国特許法３５第１１２章第６パラグラフの適用に基づいて解釈がされることを意図していない。
【００１０】
請求される方法及び装置のステップは、その他多くの汎用又は特定用途の計算システム環境又は構成を用いて使用できる。請求項の方法又は装置を用いて使用するために適し得る周知の計算システム、環境、及び／又は構成例は、パーソナルコンピューター、サーバーコンピューター、携帯用ラップトップ装置、マルチプロセッサーシステム、マイクロプロセッサーベースシステム、セットトップボックス、プログラマブル家電、ネットワークＰＣ、ミニコンピューター、メインフレームコンピューター、上記のシステム又は装置のどちらか含む分散計算環境などを含むがこれらに限定しない。
【００１１】
請求されている方法及び装置のステップは、計算機によって実行されるプログラムモジュールなど計算機実行可能命令の一般的な文脈で説明され得る。一般にプログラムモジュールは、特定のタスクを実行するか又は特定の抽象データ型を実装しているルーチン、プログラム、オブジェクト、コンポーネント、データ構造などを含む。本方法及び装置は、通信ネットワークを介し接続されているリモート処理装置によってタスクが実行される分散計算環境においても実行され得る。分散計算環境において、プログラムモジュールは、メモリー記憶装置を含むローカル及びリモート計算機記憶媒体に配置され得る。
【００１２】
本方法は、計算機可読媒体にストアされ得る。計算機可読媒体は、計算機によってアクセスされ得る利用可能な任意の媒体であり得、揮発性媒体及び不揮発性媒体、取り外し可能媒体及び取り外し不可能媒体双方を含む。制限ではなく例として、計算機可読媒体は、計算機記憶媒体及び通信媒体を含む。計算機記憶媒体は、計算機可読命令、データ構造、プログラムモジュール、又はその他のデータなど情報の記憶のための任意の方法又は技術で実装されている揮発性媒体及び不揮発性媒体、取り外し可能媒体及び取り外し不可能媒体を含む。計算機記憶媒体は、ＲＡＭ、ＲＯＭ、ＥＥＰＲＯＭ、フラッシュメモリー、又はその他のメモリー技術、ＣＤ−ＲＯＭ、デジタル多用途ディスク（ＤＶＤ）、又はその他の光ディスク記憶装置、磁気カセット、磁気テープ、磁気ディスク記憶装置、又はその他の磁気記憶装置、又は所望の情報をストアするために使用され得、計算機によってアクセスされ得るその他任意の媒体を含むがこれらに限定しない。通信媒体は、一般に、計算機可読命令、データ構造、プログラムモジュール、又は搬送波若しくは別の移送機構など変調データ信号でその他のデータを具現し、任意の情報伝達媒体を含んでいる。用語「変調データ信号」は、１つ以上の信号の特性セットを有する信号か又は信号中の情報を符号化するような方法によって変更された信号を意味する。制限ではなく例として、通信媒体は、有線ネットワーク若しくは直接有線接続のような有線媒体、又は音響、ＲＦ、赤外線、及びその他の無線媒体など無線媒体を含む。前述の任意の組み合わせも計算機可読媒体の範囲内に含まれる。
【００１３】
ネットワークが本方法の一部として使用され得る。計算装置は、１つ以上のリモート計算機との論理接続を使用するネットワーク接続環境において作動し得る。リモートコンピューターは、パーソナルコンピューター、サーバー、ルーター、ネットワークＰＣ、ピア装置、携帯用メディアプレーヤー、携帯電話、又はその他の一般的なネットワークノードであり得る。論理接続は、ローカルエリアネットワーク（ＬＡＮ）及び広域ネットワーク（ＷＡＮ）を含み得るがその他のネットワークも含み得る。そのようなネットワーク接続環境は、オフィス、企業規模の計算機ネットワーク、イントラネット、及びインターネットにおいて一般的である。ネットワーク接続環境において、計算機又はその一部に関連し表されているプログラムモジュールは、リモートメモリー記憶装置にストアされ得る。
【００１４】
図１は、データコンテナのサンプル（１００）の例示である。コンテナ（１００）は、共通するテーマを有し得るか又は有し得ない様々なデータを含む電子コレクションであり得る。コンテナ（１００）は、いくつかの方法で実質的に任意のファイルがフォルダーの位置にあり得る点において、パーソナルコンピューター上のフォルダーと同様である。コンテナ（１００）は、カードとして表示されるように様々な形式を呈し得る。考えられるコンテナ（１００）の様々な形式は、ユーザーの創意又は設計者の創意によってのみ制限される。
【００１５】
コンテナ（１００）は、様々な項目（１１０）を含み得る。項目（１１０）は、実質的に任意の種類のメディア若しくはデータであるか又はそれらを含み得る。一般的な項目（１１０）の例は、カード名（１２０）、シンボル（１２５）、バンドに関する経歴情報（１３０）、販売可能なバンド関連商品（１３５）、バンドツアーの日付（１４０）、コンテナの作者の友達（１４５）、作者（１５０）、コンテナの格付け（１５５）、コンテナがダウンロードされた回数（１６０）、コンテナ（１００）の中の情報更新の日付（１６５）を含む。
【００１６】
コンテナ中のデータは、広告に関連付けられたデータであり得、広告は、コンテナ（１００）の中のその他のデータに関連付けられ得る。広告は、別の商品又はサービスに対する紹介を伝え得る。更に広告は、優待券であり得る。更に、コンテナ（１００）にアクセスし、検索する機能は、購読プランの一部か又はダウンロードプラン毎に有料であり得る。当然のこととして、コンテナ（１００）の支援をするその他の方法が考えられ想定される。前述したように、コンテナ（１００）は、実質的に任意のデータを含み得、前の例は、単なる例示であって限定しない。
【００１７】
コンテナ（１００）は、本出願で更に説明されているいくつかの特性を有し得る。コンテナ（１００）は高いレベルで、水、石鹸、オイル、シロップ、ブラシ、モップ、テニスボールのように単独か又は組み合わせを保持可能なバケツのように、１つ以上のコンポーネントを含み得る点において、コンテナ（１００）であり得る。コンテナ（１００）は、実行可能ファイル、ｊｐｅｇ図、ａｖｉ動画、及びＭｉｃｒｏｓｏｆｔ  Ｗｏｒｄ（登録商標）ファイルなど１つのタイプより多いコンポーネントをバケツのように保持し得るという点において、異種環境であり得る。コンテナ（１００）は、それが様々な方法で１つのノードから別のノードに移動し得る点において、可搬型であり得る。コンテナ（１００）を輸送するための、データ通信するいくつかの方法が使用され得る。コンテナ（１００）は、オンライン又はオフラインの間も通信され得る。例えば、コンテナ（１００）は、フラッシュメモリー装置にストアされ得、フラッシュメモリー装置は、オンラインでないいくつかの計算機と通信し得る。コンテナ（１００）は、それが１つより多いクライアント又はオフラインネットワークにレンダリングされ得る点において、複数レイアウトが可能であり得る。例えば、コンテナ（１００）は、携帯用メディア装置、計算機、携帯用ゲーム端末、携帯電話などに表示され得る。コンテナ（１００）は、コンテナ（１００）中のデータが更新可能なとき及び適切なときに更新され得る点において、「ライブ」であり得る。コンテナ（１００）は、コンテナ（１００）の共有機能がコンテナ（１００）中のコンテンツのライセンスが有効期限切れか又は制限が起動されたとき、遠まわしに低下する点において、共有可能であり得る。コンテナ（１００）は、それがコンテナ（１００）の中の項目を選択することによってブラウズされ得、作用され得る点において、対話的である。コンテナ（１００）は、コンテナ（１００）の中の項目が選択され、再生され得る点において、再生可能であり得る。コンテナ（１００）は、ダウンロード（１６０）数など、それが実行するコミュニティとどのように関連しているかに関する情報が伝わる点において、社会的であり得る。コンテナ（１００）は、コンテナ（１００）がエンドユーザーによって生成又は組み立てられるコンテンツを含み得る点において、ユーザーによって変更可能であり得る。コンテナ（１００）は、そのコミュニティによって決定され得る評判を有し得る。最終的に、コンテナ（１００）は、様々な方法によって金額に定められ得る。
【００１８】
図２は、データコンテナ（１００）を生成する方法を例示している。ブロック（２１０）において、コンテナ（１００）に含まれるデータが選択され得る。前述したようにデータは、任意のデータであり得る。音楽、写真、ツアー日付、雑学知識、映像、歌詞、ニュースなどを含む例は、コンテナ（１００）の作者にとって興味がある対象項目（１１０）を含んでいる。一実施形態において、データは、ゲームに関する情報又はゲーム自体を含む。選択は、ドラッグアンドドロップ動作を介し実行され得るか又は実質的にコンテナ（１００）にファイルを追加するその他任意の方法で実行され得る。更に、コンテナ（１００）は、ユーザーによって生成又は組み立てられるコンテンツを含み得る。例えば、作者は、自分がコンテナ（１００）の中に生成した作品、動画又は映画を含み得る。コンテナ（１００）の中のデータは、選択可能であり得、選択されたデータに関連する動作を実行し得る。例えば、ファイルはビデオファイルであり得、コンテナ（１００）の中のファイルを選択することによって、ビデオファイルが表示され得る。別の例として、ファイルは、（ゲームのような）実行可能なファイルであり得、ファイルを選択することによって、実行可能なファイルが実行され得る（ゲームが開始する）。当然のこととして、その他の動作及びファイルタイプが考えられ想定される。
【００１９】
項目（１１０）は、共通するテーマを有し得るか又は有し得ない。例えば、１つのカードは、特定の大学に関連する大学テーマを有し得る。そのようなカード上の項目（１１０）は、大学対抗戦応援歌、大学バンドの映像、大学に関連するスポーツ競技の歴史的映像、キャンパス地図、大学に関するスポーツ競技日付、大学キャンパスにおいて認識可能な場所の写真、大学に関連するゲームなど含み得る。他方、別の例は、ユーザーが興味を見出している映画のテーマを有し得る。項目（１１０）は、全く関係のない映画及びこれら関係のない映画の役者、監督、及び製作者に関係する情報であり得る。当然のこととして、これらは単なる例であって、限定することを意味していない。
【００２０】
コンテナ（１００）は、作者（１５０）によって生成され得る。作者（１５０）は、個人、グループの人々、コンテナ（１００）又はその組み合わせに含まれている項目を選択する計算機プログラムであり得る。作者（１５０）は、コンテナ（１００）を表示し、変更するための権利を別の人に許可し得る。一実施形態において、別の人は、自分達自身のコンテナ（１００）を生成するために、そこにコンテナ（１００）及びデータのいくつか又はすべてを複製し得る。更に、別のユーザーが単にコンテナ（１００）を変更し得る。作者（１５０）は、コンテナ（１００）を「封印」などによって、他の誰もコンテナ（１００）を変更できないことを保証する権利も有し得、変更がコンテナ（１００）にも、コンテナ（１００）の複製にも実行され得ないことを意味している。例えば、ミュージックスタジオは、コンテナ（１００）を発行し得、スタジオは、特定の音楽だけがコンテナ（１００）の中の項目（１１０）に存在することを所望し得る。更に、コンテナ（１００）の限定版があり得る。例えば、スタジオは、ポピュラーアルバムのリリース記念を祝うために５，０００個のコンテナ（１００）しか生成できない。
【００２１】
コンテナ（１００）は、コンテナ（１００）が本物であることを保証するための署名（１７０）も有し得る。署名（１７０）は、署名の認証によって、コンテナ（１００）に割り当てられた固有名称から署名を検証するために使用されるＲＳＡのような暗号化アルゴリズムまで、様々な形式を有し得る。当然のこととして、実質的に任意の署名が動作し、想定される。
【００２２】
データが音楽、映像、電子書籍など版権があるデータであり得るとき、データに関連するメディアに関係付けられたライセンス情報もコンテナ（１００）の中にストアされ得る。このライセンス情報は、論理的に、コンテナ（１００）が１つの電子装置から別の電子装置に通信されるとき、コンテナ（１００）を用いて移動し得る。また、コンテナ（１００）の項目の共有能力は、ライセンス期限が切れると時間がたつにつれて低下し得る。例えば、歌曲が購入される前の３日又は３回の視聴制限を有する場合、３日後、歌曲がコンテナ（１００）から消え得る。図１の実施形態において、ウィリーによる新曲（Ｈｉｔ  ｔｈｅ  Ｂｒｉｃｋｓ）（１７２）が表示されている。歌曲の下方に歌曲に対するライセンス有効期限が切れる日時（１７４）が、残り再生回数（１７６）として記載されている。更に、歌曲を購入するための選択肢（１７８）が表示されている。歌曲が購入された場合、ライセンスの権利が変わる。ライセンスデータは、データが、適切な認証なしに変更されないことを保証するための方法によってストアされ得る。
【００２３】
再び図２を参照するとブロック（２２０）において、マスターコンテナのグラフィック表現が生成され得る。一実施形態において、グラフィック表現は、クレジットカードのように見える。前述したように、コンテナ（１００）は、カードとして表示されることに加え、様々な形式を呈し得る。考えられる様々なコンテナ（１００）の形式は、ユーザー又は設計者の創意によってのみ制限される。
【００２４】
ブロック（２３０）において、表示されるデータに関する１つ以上のグラフィック表現がマスターコンテナ（１００）のグラフィック表現内部に生成され得る。例えば、作者は、シンボル（１２５）がコンテナ上に表示されることを所望し得る。その他のグラフィック表現が追加され得る。テキスト、数字、図面、絵、映画などグラフィック表現があり得る。一般的なグラフィック表示は、アルバムの表紙、映画の宣伝、作者の情報、コンテナ（１００）の名前など含み得る。グラフィック表現は、実質的にグラフィック表現上、何でも表示し得るようにアーティストにとって何も描かれていないキャンバスと同様である。グラフィック表現は、創意によってのみ制限される。
【００２５】
ブロック（２４０）において、マスターコンテナ（１００）の中の項目（１１０）を表し得るデータは、マスターコンテナ（１００）と関連付けられているデータとともにストアされ得る。パーソナルコンピューター上のフォルダーと同様に、コンテナ（１００）は、その内部にデータをストアし、データがコンテナ（１００）を介し到達される。マスターコンテナ（１００）は、様々な場所にストアされ得る。マスターコンテナ（１００）は、インターネットなどネットワークを介し、アクセス可能なセントラルサーバーにストアされ得る。更に、マスターコンテナ（１００）は、ローカルにストアされ得るか又はウェブサイトを介しアクセスされ得る。
【００２６】
図３は、マスターコンテナ（１００）がネットワーク（３００）にストアされ、コンテナ（１００）の複製コピーがローカルにストアされる実施形態を例示している。ネットワークは、コンテナ（１００）をストアし、コンテナ（１００）を検索可能なコンテナサーバー（３０５）を有し得る。コンテナ（１００）（又はこの例においては、カード）が、コンテナファクトリー（３１０）に生成され得る。コンテナファクトリー（３１０）は、既に生成されたコンテナ（１００）をストアし得るコンテナストア（３１５）からコンテナ（１００）を生成するためのデータを取得し得る。コンテナストア（３１５）のコンテナ（１００）が、コンテナエディター（３２０）を使用し、生成され得る。エディター（３２０）において、カードが生成、更新、又は削除され得る。編集されたコンテナ（１００）は、インデクサー（３２５）に追加され得、コンテナサーバー（３０５）にアクセスし得るコンテナ検索機能（３３５）を使用し、検索され得るインデックス（３３０）にストアされ得る。更に、カードファクトリー（３１０）が、利用法ストア（３４０）、ユーザーが生成したコンテンツストア（３４５）、カタログストア（３５０）、レイアウトストア（３５５）、及び外部データプロキシ（３６５）を介し、外部データストア（３６０）から取り出され得る。外部データストア（３６０）は、マスターコンテナ（１００）の複製コンテナ（１００）をストアし得る。
【００２７】
ネットワーク（３００）は、プレーヤーサーバーにストアされ得るプレーヤーも含み得る。プレーヤーは、ＨＴＭＬプレーヤー、プレーヤープログラム、及びスキンストアを含み得る。ネットワーク（３００）は、認証サービスなど共有サービス（３７５）もストアし得る。認証サービス（３７５）は、例えば封印コンテナ（１００）を変更するための作者を認証するために、使用され得る。サービスの中には料金が提供される別の利用があり得、ユーザーが権利を与えられているサービスを利用するために、彼らが認証される。
【００２８】
ブロック（２５０）において、別の人がマスターコンテナの複製コンテナを取得することが許可され得る。複製コンテナがネットワーク（３００）と通信するとき、複製コンテナ（１００）は、マスターコンテナ（１００）と同期され得る。一実施形態において、マスターコンテナ（１００）に実行された変更は、コンテナ（１００）の複製コピーが存在する装置がネットワーク（３００）と通信するとき、コンテナ（１００）の複製コピーと通信し得る。更に、実施形態の中には、コンテナ（１００）の複製コピーに実行された変更がウィキ（ｗｉｋｉ）タイプの方法でマスターコンテナ（１００）に追加され、すなわち、非作者による変更及びコメントすべてが表示されるように、マスターコンテナ（１００）に追加されるものもある。
【００２９】
図４は、マスターコンテナ（１００）から複製コンテナ（１００）に更新項目を配布する一方法を例示し得る。ブロック（４１０）において、ネットワーク通信が確立され得る。通信が様々な方法で確立され得る。一実施形態において、通信は、ＩＥＥＥ８０２．１１ガイドラインに従う通信のような無線通信である。別の実施形態において、通信は、イーサネット（登録商標）を介し接続される。当然のこととして、実質的にいくつかの通信方法が考えられる。
【００３０】
ブロック（４２０）において、コンテナ（１００）の中のデータに関連する更新データがネットワークから取得され得る。例えば、図１において、追加のツアー期日が音楽ツアーに追加され得、経過したツアー日付がコンテナ（１００）から削除され得る。追加ツアーの期日は、コンテナ（１００）がネットワークと通信するとき、コンテナ（１００）に追加され得る。
【００３１】
ブロック（４３０）において、更新データがコンテナ（１００）に転送され得る。転送は様々な方法で通信され得る。制限ではなく例として、更新は、パケットが更新情報を含むことを意味するヘッダー情報を示している、データパケットであり得る。当然のこととして、データを転送する手段及び方法を実質的に限定しない。
【００３２】
ブロック（４４０）において、更新データが、コンテナ（１００）の中の項目として表示され得る。更新されたツアー日付の例において、更新されたツアー日付が、コンテナ（１００）のその他のエレメントとともに表示され得る。
【００３３】
一実施形態において、コンテナ（１００）がウェブサイトにストアされる。ユーザーは、コンテナ（１００）の作者（１５０）、コンテナ（１００）の名前（１２０）、又は曲のタイトル（１７２）の中の単語など、実質的に任意の検索条件を使用し、コンテナ（１００）を精査し、検索可能であり得る。ユーザーは、ネットワーク（３００）を介し、ウェブサイトにアクセスし得る。ウェブページ上のコンテナ（１００）の精査は、追加選択肢を提示し得る。
【００３４】
図５は、ウェブページと、コンテナ（１００）に関係するメディアが複数の項目（１１０）を有しているコンテナ（１００）に関係するメディアと、の間の対話方法を例示している。ブロック（５１０）において、ウェブページに表示されるコンテナ（１００）が選択され得る。コンテナ（１００）が、精査、検索又は推奨され得る。図１のように実施形態の中には、コンテナ（１００）がカードとして表示され得、カード上の項目（１１０）がカード上の画像として表示されるものもある。一実施形態において、カードが財布に適合するサイズのように見える。ユーザーは、コンテナ（１００）が、携帯用装置上でカードとして、ウェブページとして、見えるように設計し得る。
【００３５】
既に言及したように、コンテナ（１００）が様々な場所にストアされ得、異なる様々なデータがコンテナ（１００）を用いてストアされ得る。コンテナ（１００）がネットワーク（３００）にストアされているとき、様々なデータ及び選択肢が、コンテナ（１００）を利用して利用可能である。ホームページにユーザーすべてに関係する統計が存在し得る。
【００３６】
ブロック（５２０）において、コンテナ（１００）が、ウェブページに、より大きな形式で表示され得る。コンテナ（１００）が携帯用メディア装置にある場合、装置上の表示は、比較的小さくなる。コンテナ（１００）がウェブページを表示するパーソナルコンピューターなど、より大きなディスプレイに表示される場合、コンテナ（１００）は、より大きなサイズにレンダリングされ得る。コンテナ（１００）上の画像は、理想的に、画像が拡大されたとき、それらは、ずっと識別可能な十分な細部を有している。更に、作者の中には、ウェブサイトに表示されるカードが選択されたとき、カード自体とは別個のカードのカード画像を生成するものもある。
【００３７】
ブロック（５３０）において、ウェブページ上のコンテナ（１００）の中の項目が拡大され得る。例えば、コンテナ（１００）上の任意の画像が拡大され得、リストが更に詳細化され得、追加セクションが現われ得、ネットワークが更新情報又は追加情報も追加し得る。
【００３８】
図６は、拡大された任意のカード（６００）の実施形態の例示である。この実施形態において、追加統計（６１０）が表示されている。更に、様々なコンサートの場所、ゲームのような追加項目（６２０）が追加され、拡大される。ビデオ（６３０）が追加され、追加ビデオがビデオタブを選択することによって選定され得る。更に、追加項目は、ユーザープロファイル（６４０）、アーティスト（６４２）、アルバム（６４４）、ユーザーコンテンツ（６４６）、検索（６４８）、電子メール送信（６５０）、受信トレイ（６５２）、友達リスト（６５４）、及び更新（６５６）を含む。実施形態の中には追加情報が、項目の１つを選択することによって取得されるものもある。
例えば、ユーザープロファイル（６４０）を選択することによって、友達、受信箱、送信箱、データ利用法、ユーザーが生成したコンテンツのような追加情報が表示され得る。アーティスト（６４２）又はアルバム（６４４）の選択は、購入マーケット、格付けなどの編集データ、コミュニティの人気などの統計、及びその他のユーザーが生成したコンテンツのような追加情報を提供し得る。この実施形態は例であって、限定することを意図していない。ウェブページの設計と同様に、実施形態の拡大されているコンテナ（６００）の多様性及びタイプを実質的に限定しない。
【００３９】
コンテナ（１００）がカードとして表示される場合、ウェブページにカードを拡大することによって、カードの選択、ウェブページへのカード画像のより大きなバージョン表示、及び画像に関連する追加情報の表示を必要とし得る。
【００４０】
再び図５を参照するとブロック（５４０）において、追加選択肢がコンテナ（１００）の少なくとも１つの項目に表示され得る。一実施形態において、追加選択肢は、ユーザーがコンテナ（１００）の中の項目を追加、削除、及び変更するためのオーサリングツールを使用可能にすることを含む。変更されたコンテナ（１００）が、新しい名前を有する新しいコンテナ（１００）としてセーブされ得る。
【００４１】
ブロック（５５０）において、認証が提示されている場合、コンテナ（１００）の項目の操作が許可され得る。例えば、作者がコンテナ（１００）をロックも封印もしていない場合、認証が利用され得る。認証が得られた場合、コンテナ（１００）上の項目を追加、削除、又は変更するための選択肢が表示され得る。ユーザーがコンテナ中の項目を追加、削除、変更を可能にするオーサリングツールがコンテナに対し表示され得る。ツールは、ウェブサイトに表示用及び携帯用メディア装置に追加表示用のコンテナ（１００）設計用選択肢を有し得る。本ツールは、コンテナ（１００）を設計することを更に簡単にし得る。
【００４２】
コンテナ（１００）がローカルにストアされている場合、コンテナ（１００）をストアしている装置がネットワークと通信しなくても、それはまだ十分に使用できる。例えば、コンテナ（１００）が携帯用メディア装置にストアされている場合、装置がネットワークと通信していなくても、コンテナ（１００）にストアされている音楽すべてが携帯用メディア装置において再生され得る。
【００４３】
装置がネットワークと通信ない場合であっても、コンテナ（１００）が装置に追加され得る。携帯用メディアが問題の装置と通信し得、携帯用メディア上のコンテナ（１００）が装置に追加され得る。例えば、コンテナ（１００）がフラッシュメモリーカードにストアされ得、フラッシュメモリーカードが携帯用メディアプレーヤーに追加され得る。携帯用メディアプレーヤーは、その後、フラッシュメモリーカードにアクセスし得、コンテナ（１００）が携帯用メディア装置に追加され得る。同様に、装置上のコンテナ（１００）がフラッシュメモリー装置に複製され得、フラッシュメモリー装置がその後、フラッシュメモリー装置を読み出し得る任意の仮想装置に移動され得、その後、コンテナ（１００）がその装置に移動され得る。
【００４４】
コンテナ（１００）がパーソナルコンピューターに表示された時、追加データが入手可能になり得る。携帯用装置の処理能力、表示能力、及び記憶能力は、限定され得るので、コンテナ（１００）に関連する選択肢すべてが携帯用装置に表示され得るわけではない。ウェブベースのコンテナ（１００）にアクセスするコンテナ（１００）は、パーソナルコンピューター又はウェブ装置に表示されたとき、追加データ及び選択肢を表示し得る。例えば、
コンテナ（１００）は、それが承認済ネットワークソースと通信するときはいつでも同期され得る。例えば、コンテナ（１００）は、特定の音楽アーティストに関するコンサート情報を含み得る。この情報は、コンテナ（１００）が常駐している装置が承認済ネットワークソースと通信するとき、（追加された更なるコンサート、指名前座など）更新され得る。承認済ネットワークソースは、有線又は無線方法を介し、アクセスされ得るインターネットであり得る。当然のこととして、別のネットワークが考えられ想定される。
【００４５】
説明された方法及び装置を受けて、ユーザーは、自分達にとって興味がある対象のデータで満たされたコンテナ（１００）を生成し得る。これらのコンテナ（１００）は、別の人がコンテナ（１００）を共有又は批評し得るウェブサイトに投稿され得る。ユーザーは、その後、コンテナ（１００）を格付けし得、又は自分達自身のコンテナを生成するためにコンテナ（１００）の中の項目を追加、変更、又は削除し得る。更に、ユーザーがコンテナ（１００）を十分に評価した場合、作者によってコンテナ（１００）に実行された変更は、複製コンテナ（１００）を有する装置が直接又はネットワークどちらか一方を介し元のコンテナ（１００）と通信するときはいつでも、複製コンテナ（１００）と通信し得る。更に、複製コンテナ（１００）上で実行された変更が、ウィキタイプのスタイルで元のコンテナ（１００）に掲示され得る。共有及び通信が増加した結果、人々は、他の人々、及び音楽、ファッション、映画、ゲームなどにおける好みの変化に追従することが更にずっと簡単になる。交換されるデータ対象は実質的に限りがない。更に、コンテナ（１００）とネットワーク（３３０）又はウェブページと、の間の対話が可能になることによって、コンテナ（１００）が世界中に展開された場合でも変更が容易にコンテナ（１００）に実行され得、更に望ましいコンテナ（１００）を将来提供するために、転送データがコンテナ（１００）上に集められ、使用され得る。
【００４６】
以下の文章は、異なる多くの実施形態の詳細な記述を説明しているが、本明細書の範囲が本明細書の終わりに説明されている請求項の語句によって定義されることが理解されよう。詳細な記述は例示的に過ぎないと理解されることであって、考えられるすべての実施形態を記述することは、不可能でないにしても非実用的なので、考えられるすべての実施形態について記述しない。最新技術又は本明細書の出願日以降に開発される技術どちらか一方を使用し、本請求項の範囲内の多くの代替実施形態が実施され得る。
【００４７】
かくして修正物及び変形物の多くが、本明細書に説明され、例示された技法及び構造で本請求項の趣旨及び範囲から逸脱せずに作成され得る。したがって、本明細書記載の方法及び装置は、例示的に過ぎず、本発明の範囲に限定されないことが十分に理解されよう。
【符号の説明】
【００４８】
１００  データコンテナサンプル
１１０  項目
１２０  名前
１２５  シンボル
１３０  経歴情報
１３５  商品
１４０  日付
１４５  友達
１５０  コンテナの作者
１５５  格付け
１６０  ダウンロード回数
１６５  更新日付
１７０  署名
１７２  新曲
１７４  有効期限
１７６  残り再生回数
１７８  購入選択肢
３００  ネットワーク
３０５  コンテナサーバー
３１０  コンテナファクトリー
３１５  コンテナストア
３２０  エディター
３２５  インデクサー
３３０  インデックス
３３５  コンテナ検索機能
３４０  利用法ストア
３４５  コンテンツストア
３５０  カタログストア
３５５  レイアウトストア
３６０  外部データストア
３６５  外部データプロキシ
３７０  共有サービス
３７５  認証サービス
６１０  追加統計
６２０  追加項目
６３０  ビデオ
６４０  ユーザープロファイル
６４２  アーティスト
６４４  アルバム
６４６  ユーザーコンテンツ
６４８  検索
６５０  電子メール送信
６５２  受信箱
６５４  友達リスト
６５６  更新
【図１】
2010532533.tif 000003
【図２】
2010532533.tif 000004
【図３】
2010532533.tif 000005
【図４】
2010532533.tif 000006
【図５】
2010532533.tif 000007
【図６】
2010532533.tif 000008
【国際調査報告】
2010532533.tif 000009
2010532533.tif 000010